(57)【要約】【課題】外壁の外面と腰壁部の外面を同じ面内に揃えて美観を良くすること等ができるとともに、腰壁部の屋外面の全体にプレキャストコンクリート版を設けることによるコスト高を回避できる腰壁・土間構造を提供する。【解決手段】この腰壁・土間構造は、コンクリート製の土間１の屋外側の縁に沿って腰壁部２が設けられた構造であって、上記腰壁部２が鉄筋コンクリート（ＲＣ）によって形成されるとともに、柱３が配置される部分の腰壁部２の外面がプレキャストコンクリート版（ＰＣａコンクリート版）４Ｃにより形成されている。【選択図】図２
2015048580.tif 000002
【特許請求の範囲】
【請求項１】
コンクリート製の土間の屋外側の縁に沿って腰壁部を設けた腰壁・土間構造において、上記腰壁部がコンクリートによって形成されるとともに、上記腰壁部の柱が配置される部分の外面がプレキャストコンクリート版により形成されることを特徴とする腰壁・土間構造。
【請求項２】
請求項１に記載の腰壁・土間構造において、出隅となる柱配置箇所に設けられるプレキャストコンクリート版は出隅の凸角形状をなすＬ字形を有することを特徴とする腰壁・土間構造。
【請求項３】
請求項２に記載の腰壁・土間構造において、上記出隅となる柱配置箇所に設けられるプレキャストコンクリート版と柱との間に隙間が形成されていることを特徴とする腰壁・土間構造。
【請求項４】
請求項１〜請求項３のいずれか１項に記載の腰壁・土間構造において、入隅となる柱配置箇所に設けられるプレキャストコンクリート版は入隅の凹角形状をなすＬ字形を有することを特徴とする腰壁・土間構造。
【請求項５】
請求項１〜請求項４のいずれか１項に記載の腰壁・土間構造において、出隅および入隅の箇所以外の柱配置箇所に設けられるプレキャストコンクリート版は平板形状を成し、この平板形状のプレキャストコンクリート版と上記柱との間に隙間を有することを特徴とする腰壁・土間構造。
【請求項６】
請求項１〜請求項５のいずれか１項に記載の腰壁・土間構造において、上記プレキャストコンクリート版の下部から上記柱の下部にかけての部位に根巻きが設けられていることを特徴とする腰壁・土間構造。
【請求項７】
請求項１〜請求項６のいずれか１項に記載の腰壁・土間構造において、上記プレキャストコンクリート版の両側となる箇所の上記腰壁部に目地が形成されていることを特徴とする腰壁・土間構造。
【請求項８】
請求項１〜請求項７のいずれか１項に記載の腰壁・土間構造において、上記プレキャストコンクリート版の裏面に凹凸が形成されていることを特徴とする腰壁・土間構造。
【請求項９】
請求項１〜請求項８のいずれか１項に記載の腰壁・土間構造において、上記柱の外面と面一に外壁の下地が設けられていることを特徴とする腰壁・土間構造。
【発明の詳細な説明】
【技術分野】
【０００１】
建物の腰壁・土間構造に関する。
【背景技術】
【０００２】
図７は、従来の鉄骨造の建物の腰壁・土間部の縦断面図である。この腰壁・土間部においては、土間部１０１の屋外側の縁に沿って腰壁部１０２が形成されている。上記腰壁部１０２内には鉄筋が施されており、この鉄筋のかぶりを確保するため、柱１０３は位置する箇所の腰壁部１０２のコンクリートをふかすようにしている。また、上記柱１０３と腰壁部１０２との間には、当該腰壁部１０２のひび割れを防止するために、絶縁材１０７を介在させている。
【０００３】
ここで、外壁板１０４を支持する胴縁１０６は、縦胴縁１０６ａと横胴縁１０６ｂとからなるが、その外面が柱１０３の外面と面一になるように設けられているので、上記柱１０３に対する上記外壁板１０４の出っ張りは少なく抑えられる。その一方、上記鉄筋のかぶり確保のため、また上記絶縁材１０７の配置のために、上記腰壁部１０２の外面が外壁板１０４よりも屋外側に大きく出っ張る形状となる。そして、上記腰壁部１０２の上部に設けられる水切り部材１０５も大きく出っ張って設けられることになる。
【０００４】
また、特許文献１には、コンクリート製の土間の屋外側の縁に沿って上端が前記土間の上面よりも上方に突出した腰壁を有する腰壁・土間構造であって、前記腰壁がプレキャストコンクリート版からなり、前記土間が現場打ちコンクリート製であり、外壁パネルのパネルフレームを構成する下枠材が、前記プレキャストコンクリート版の腰壁における前記土間よりも立ち上がった部分の屋内側の側面に沿って位置し、前記下枠材と前記腰壁の前記屋内側の側面との間に、乾式の止水材を圧縮状態に介在させた腰壁・土間構造が開示されている。
【先行技術文献】
【特許文献】
【０００５】
【特許文献１】特開２０１１−７４５７１号公報
【発明の概要】
【発明が解決しようとする課題】
【０００６】
しかしながら、図７に示した従来の腰壁・土間部では、上記腰壁部１０２の外面が外壁材１０４よりも屋外側に大きく出っ張るため、建物の外観の見栄えを悪くするという欠点があった。また、積雪地域においては、上記腰壁部１０２の出っ張り部分に雪が積もり、上記水切り部材１０５の変形や外壁材１０４の凍害のおそれがあった。
【０００７】
一方、上記特許文献１に開示の技術では、腰壁部に上記プレキャストコンクリート版を設けており、外壁の外面と腰壁部の外面を面一にできるので、建物の外観の見栄が良くなるものの、腰壁部の屋外面の全体に上記プレキャストコンクリート版を設けるため、コストが割高になるという欠点があった。
【０００８】
この発明は、上記の事情に鑑み、外壁の外面と腰壁部の外面を同じ面内に揃えて美観を良くすること等ができるとともに、腰壁部の屋外面の全体にプレキャストコンクリート版を設けることによるコスト高を回避できる腰壁・土間構造を提供することを課題とする。
【課題を解決するための手段】
【０００９】
この発明の腰壁・土間構造は、コンクリート製の土間の屋外側の縁に沿って腰壁部を設けた腰壁・土間構造において、上記腰壁部がコンクリートによって形成されるとともに、上記腰壁部の柱が配置される部分の外面がプレキャストコンクリート版により形成されることを特徴とする。
【００１０】
上記の構成であれば、上記腰壁部の柱が配置される部分の外面がプレキャストコンクリート版により形成されるので、外壁の外面と腰壁部の外面を同じ面内に揃えて美観を良くすること等ができるとともに、腰壁部の屋外面の全体にプレキャストコンクリート版を設けることによるコスト高を回避できる。
【００１１】
出隅となる柱配置箇所に設けられるプレキャストコンクリート版は出隅の凸角形状をなすＬ字形を有していてもよい。これによれば、２枚のプレキャストコンクリート版を現場でＬ字形に設置する手間を省いて施工効率を向上することができる。
【００１２】
上記出隅となる柱配置箇所に設けられるプレキャストコンクリート版と柱との間に隙間が形成されていてもよい。これによれば、例えば柱位置に多少の誤差が生じたとしても、上記隙間によって上記柱と上記プレキャストコンクリート版との接触等を回避することができる。
【００１３】
入隅となる柱配置箇所に設けられるプレキャストコンクリート版は入隅の凹角形状をなすＬ字形を有していてもよい。これによれば、２枚のプレキャストコンクリート版を現場でＬ字形に設置する手間を省いて施工効率を向上することができる。
【００１４】
出隅および入隅の箇所以外の柱配置箇所に設けられるプレキャストコンクリート版は平板形状を成し、この平板形状のプレキャストコンクリート版と上記柱との間に隙間を有していてもよい。これによれば、例えば柱位置に多少の誤差が生じたとしても、上記隙間によって上記柱と上記プレキャストコンクリート版との接触等を回避することができる。
【００１５】
上記プレキャストコンクリート版の下部から上記柱の下部にかけての部位に根巻きが設けられていてもよい。これによれば、上記プレキャストコンクリート版の下部から雨水が上記柱の下部に浸入するのを防止することができる。
【００１６】
上記プレキャストコンクリート版の両側となる箇所の上記腰壁部に目地が形成されていてもよい。これによれば、上記腰壁部の上記目地以外の箇所にひび割れが生じるのを抑制することができる。
【００１７】
上記プレキャストコンクリート版の裏面に凹凸が形成されていてもよい。これによれば、上記プレキャストコンクリート版の上記腰壁部のコンクリートに対する付着力を高めることができる。
【００１８】
上記柱の外面と面一に外壁の下地が設けられていてもよい。このような構造では柱に対する外壁の出っ張りが少なく、このような出っ張りが少ない外壁に対して、その外面と腰壁部の外面を同じ面内に揃えて美観を良くすることが可能となる。
【発明の効果】
【００１９】
本発明であれば、外壁の外面と腰壁部の外面を同じ面内に揃えて美観を良くすること等ができるとともに、腰壁部の屋外面の全体にプレキャストコンクリート版を設けることによるコスト高を回避できるという効果を奏する。また、プレキャスト版同士のジョイント箇所を無くすことができ、結果、全てのジョイント数を減らすことで漏水のリスクを回避できる。
【図面の簡単な説明】
【００２０】
【図１】本発明の実施形態にかかる腰壁・土間構造における出隅部と中間部と入隅部を示した横断面図である。
【図２】同図（Ａ）は図１の中間部を示し、同図（Ｂ）は同図（Ａ）のａ−ａ矢視断面図である。
【図３】本発明の実施形態にかかる腰壁・土間構造における出隅部と中間部と入隅部を示した斜視図である。
【図４】図３の腰壁・土間構造における出隅部のコンクリート投入型枠を示した模式図である。
【図５】図３の腰壁・土間構造における入隅部のコンクリート投入型枠を示した模式図である。
【図６】図３の腰壁・土間構造における中間部のコンクリート投入型枠を示した模式図である。
【図７】従来の腰壁・土間構造を示した横断面図である。
【発明を実施するための形態】
【００２１】
以下、この発明の実施の形態を添付図面に基づいて説明する。
図１、図２（Ａ）および図２（Ｂ）に示すように、この実施形態の腰壁・土間構造は、鉄骨造りの建物において、コンクリート製の土間１の屋外側の縁に沿って腰壁部２が設けられた構造であって、上記腰壁部２が鉄筋コンクリート（ＲＣ）によって形成されるとともに、柱３が配置される部分の腰壁部２の外面がプレキャストコンクリート版（ＰＣａコンクリート版）４により形成されている。上記柱３のベースＰＬ３ａは基礎コンクリート１１上に図示しないアンカーボルトによって固定されている。上記プレキャストコンクリート版４は例えば繊維補強型であり、表面は例えばアクリル樹脂エナメルが塗装されており、裏面にはその表面積を増加させる凹凸が多数形成されている。また、上記プレキャストコンクリート版４は厚さが例えば２０ｍｍ程度の薄型とされている。
【００２２】
また、例えば、上記腰壁部２の上面と上記プレキャストコンクリート版４の上面は同じ高さ位置にあり、これらの上面は上記土間１の上面よりも高い位置にある。また、上記土間１上であって上記柱３の裏面側には、例えば、断熱材（グラスウール等）１２および屋内壁下地板１３等が図示しないランナーにより支持されている。
【００２３】
また、外壁板５を支持する胴縁（外壁下地）６は、縦胴縁（例えばＣ型鋼）６ａと横胴縁（例えば角パイプ）６ｂからなり、その外面が上記柱３の外面と面一になるように設けられており、上記柱３に対する上記外壁板５の出っ張りは少なく抑えられている。また、上記外壁板５の下部側には、上記腰壁部２の上部から外側に被さるように水切り部材５１が設けられている。
【００２４】
図３にも示すように、出隅となる柱配置箇所に設けられるプレキャストコンクリート版４Ａは出隅の凸角形状をなすＬ字形を有する。このＬ字における各片部の横方向長さは上記柱３の横幅よりも長い。そして、上記出隅となる柱配置箇所に設けられるプレキャストコンクリート版４Ａと柱３との間にＬ字状に隙間（例えば１０ｍｍ厚程度）７が形成されている。また、上記コンクリート製の腰壁部２と上記柱３との間には、これらを縁切り状態にする絶縁板（ゴム板、樹脂板、木板等）８が設けられている。
【００２５】
また、入隅となる柱配置箇所に設けられるプレキャストコンクリート版４Ｂは入隅の凹角形状をなすＬ字形を有する。この入隅箇所においても、上記コンクリート製の腰壁部２と上記柱３との間には上記絶縁板８が設けられている。
【００２６】
また、上記出隅および入隅の箇所以外の中間部の柱配置箇所（隅間箇所）に設けられるプレキャストコンクリート版４Ｃは、平板形状を成し、この平板形状のプレキャストコンクリート版４Ｃと上記柱３との間に隙間（例えば１０ｍｍ厚程度）７を有する。上記プレキャストコンクリート版４Ｃの横幅は上記柱３の横幅よりも長い。また、この隅間箇所においても、上記コンクリート製の腰壁部２と上記柱３との間には上記絶縁板８が設けられている。
【００２７】
上記プレキャストコンクリート版４の下部から上記柱３の下部にかけての部位に根巻きコンクリート９が設けられている。この根巻きコンクリート９は上記腰壁部２の作製後に設けることができる。また、上記腰壁部２において、上記プレキャストコンクリート版４の両側には目地２ａが形成されている。
【００２８】
図４は上記出隅となる柱配置箇所に打設するコンクリートを受ける型枠２１等を斜め上からの斜視で示した模式図である。上記Ｌ字形をなすプレキャストコンクリート版４Ａは、例えば上記型枠２１に釘によって留め付けられており、専用の留め具は用いていない。上記釘の頭部は上記型枠２１の外面上に位置する。また、この図では未だ腰壁コンクリートは打設されておらず、上記プレキャストコンクリート版４Ａの裏面の凹凸が見えている。また、上記プレキャストコンクリート版４Ａの左右の縁側には、上記目地２ａを形成するための目地棒２２が縦配置で設けられている。また、上記隙間７が形成される箇所において上記プレキャストコンクリート版４Ａが上記柱３との間に間隙を形成するように設置される。上記柱３の下部位置には上記絶縁板８が上記プレキャストコンクリート版４Ａの裏面に接するように設置されており、上記隙間の横縁が上記絶縁板８によって塞がれ、上記隙間への投入コンクリートの流れ込みが防止されている。
【００２９】
図５は上記入隅となる柱配置箇所に打設するコンクリートを受ける型枠２１等を斜め上からの斜視で示した模式図である。上記Ｌ字形をなすプレキャストコンクリート版４Ｂは、例えば上記型枠２１に釘によって留め付けられており、専用の留め具は用いていない。上記釘の頭部は上記型枠２１の外面上に位置する。また、この図では未だ腰壁コンクリートは打設されておらず、上記プレキャストコンクリート版４Ｂの裏面の凹凸が見えている。また、上記プレキャストコンクリート版４Ｂの左右の縁側には、上記目地２ａを形成するための目地棒２２が縦配置で設けられている。
【００３０】
図６は上記中間部となる柱配置箇所に打設するコンクリートを受ける型枠２１等を斜め上からの斜視で示した模式図である。上記プレキャストコンクリート版４Ｃは、例えば上記型枠２１に釘によって留め付けられており、専用の留め具は用いていない。上記釘の頭部は上記型枠２１の外面上に位置する。また、この図では未だ腰壁コンクリートは打設されておらず、上記プレキャストコンクリート版４Ｃの裏面の凹凸が見えている。また、上記プレキャストコンクリート版４Ｃの左右の縁側には、上記目地２ａを形成するための目地棒２２が縦配置で設けられている。また、上記隙間７が形成される箇所において上記プレキャストコンクリート版４Ｃが上記柱３との間に間隙を形成するように設置される。上記柱３の下部位置には上記絶縁板８が上記プレキャストコンクリート版４Ｃの裏面に接するように設置されており、上記間隙の横縁が上記絶縁板８によって塞がれ、上記間隙への投入コンクリートの流れ込みが防止されている。
【００３１】
上記腰壁コンクリートの打設・養生の後、上記型枠２１を外すときに上記釘が上記プレキャストコンクリート版４から抜ける。このため、釘痕が上記プレキャストコンクリート版４の表面に生じるが、この釘痕を例えばモルタルによって覆うことができる。また、上記型枠２１を外した後に上記根巻きコンクリート９を作製する。
【００３２】
上記の構成であれば、上記腰壁部２の上記柱３が配置される部分の外面がプレキャストコンクリート版４により形成されるので、外壁板５の外面と腰壁部２の外面を同じ面内に揃えて美観を良くすること等ができるとともに、上記腰壁部２の屋外面の全体にプレキャストコンクリート版を設けることによるコスト高を回避することができる。
【００３３】
また、出隅となる柱配置箇所に設けられる上記プレキャストコンクリート版４Ａが出隅の凸角形状をなすＬ字形を有すると、２枚のプレキャストコンクリート版を現場でＬ字形に設置する手間を省いて施工効率を向上することができる。
【００３４】
また、出隅となる柱配置箇所に設けられる上記プレキャストコンクリート版４Ａと柱３との間に上記隙間７が形成されると、例えば柱位置に多少の誤差が生じたとしても、当該柱３と上記プレキャストコンクリート版４Ａとの接触等を回避することができる。また、地震等で柱位置を変位させる力が生じたとしても、この柱３の変位が上記プレキャストコンクリート版４Ａに加わるのを防止することができる。
【００３５】
また、入隅となる柱配置箇所に設けられるプレキャストコンクリート版４Ｂが入隅の凹角形状をなすＬ字形を有していると、２枚のプレキャストコンクリート版を現場でＬ字形に設置する手間を省いて施工効率を向上することができる。
【００３６】
また、出隅および入隅の箇所以外の柱配置箇所に設けられるプレキャストコンクリート版４Ｃと上記柱３との間に隙間７を有すると、例えば柱位置に多少の誤差が生じたとしても、当該柱３と上記プレキャストコンクリート版４Ｃとの接触等を回避することができる。また、地震等で柱位置を変位させる力が生じたとしても、この柱の変位が上記プレキャストコンクリート版４Ｃに加わるのを防止することができる。
【００３７】
また、上記プレキャストコンクリート版４の下部から上記柱の下部にかけての部位に上記根巻きコンクリート９が設けられていると、上記プレキャストコンクリート版４の下部から雨水が上記柱３の下部に浸入するのを防止することができる。
【００３８】
また、上記腰壁部２において、上記プレキャストコンクリート版４の両側に目地２ａが形成されていると、当該目地２ａのひび割れ誘発によって、上記目地２ａ以外の箇所にひび割れが生じるのを防止することができる。また、上記目地２ａを化粧用に利用することもできる。
【００３９】
また、上記プレキャストコンクリート版４の裏面に凹凸が形成されていると、上記プレキャストコンクリート版４の上記腰壁部２のコンクリートに対する付着力を高めることができる。
【００４０】
上記柱３の外面と面一に外壁板５の下地が設けられている構造では柱３に対する外壁の出っ張りが少なく、このような出っ張りが少ない外壁に対して、その外面と腰壁部２の外面を同じ面内に揃えて美観を良くすることが可能となる。
【００４１】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４２】
１      土間
２      腰壁部
２ａ    目地
３      柱
４，４Ａ，４Ｂ，４Ｃ  プレキャストコンクリート版
５      外壁板
６      胴縁（下地）
７      隙間
８      絶縁材
９      根巻きコンクリート
１１    基礎
【図１】
2015048580.tif 000003
【図２】
2015048580.tif 000004
【図３】
2015048580.tif 000005
【図４】
2015048580.tif 000006
【図５】
2015048580.tif 000007
【図６】
2015048580.tif 000008
【図７】
2015048580.tif 000009